(57)【特許請求の範囲】
【請求項１】
樹脂製発泡ビーズを生地でなる袋に充填して構成され、腰掛け部、およびこの腰掛け部に内部が連通し、この腰掛け部から斜め上方に延出して形成され、上方ほど前後幅および横幅を狭く形成した背もたれ部を有するクッション本体と、
生地でなる袋の内部に樹脂製低反発チップを収容して構成され、前記腰掛け部の上面から前記背もたれ部の上面にわたってこれらの上面を覆うように重ねて取付けられる低反発チップ体と、
前記クッション本体を構成する生地よりも硬い生地により構成され、前記低反発チップ体を取付けた前記クッション本体を覆うカバーとを備えたことを特徴とするクッション。
【請求項２】
請求項１に記載のクッションにおいて、
前記クッション本体の前記腰掛け部の上面から前記背もたれ部の上面にわたって縫合あるいは接着により固着された収容袋をさらに備えると共に、
前記低反発チップ体を前記収容袋に収容したことを特徴とするクッション。
【請求項３】
請求項１または２に記載のクッションにおいて、
前記低反発チップ体は、低反発チップを充填した袋を縫合または接着した複数の固着部を有することを特徴とするクッション。
【発明の詳細な説明】
【技術分野】
【０００１】
本発明は、室内あるいはガーデンルーム等において椅子あるいは略式ベッド等として使用され、内部に樹脂製発泡ビーズを内蔵することにより、人体の重みで適度な沈み込みを生じると共に、保形性を持ち、快適な使い心地が得られるクッションに関する。
【背景技術】
【０００２】
室内あるいはガーデンルーム（庭が眺められる部屋）等においては、楽な姿勢でくつろいで横たわったり座ったりするための用具として、クッションが用いられる。この種のクッションとして、例えば特許文献１に記載のものがある。この特許文献１に記載のクッションは、外袋に０．１〜１．４ｍｍの粒径の発泡樹脂粒子（発泡ビーズ）を充填してなるものである。
【先行技術文献】
【特許文献】
【０００３】
【特許文献１】特開２００５−１９８８５６号公報
【発明の概要】
【発明が解決しようとする課題】
【０００４】
上述のように、外袋内に発泡ビーズを充填した従来のクッションは、これに人が腰を下ろしたり寝そべったりした際に、クッションが体になじむという長所はあるものの、発泡ビーズが外袋内で人体の重みで押圧されていない領域に移動し、これによりクッションが局部的に過度に沈み込み、クッション性が低下し、快適な使用感を低下させるという問題点があった。また、この沈み込みの際に、人体の重みで発泡ビーズが局部的に過度に圧縮されがちとなり、使用期間の経過とともにへたりを生じやすいという問題点があった。
【０００５】
本発明は、上記した実情に鑑み、人体の重みをかけた際のクッション性やなじみを確保されると共に、保形性が得られて人体の重みによる過度の沈み込みが防止され、もって使い心地が良く、使用期間の経過に伴うへたりも防止でき、さらに比較的小型の構成できるクッションを提供することを目的とする。
【課題を解決するための手段】
【０００６】
請求項１のクッション体は、
樹脂製発泡ビーズを生地でなる袋に充填して構成され、腰掛け部、およびこの腰掛け部に内部が連通し、この腰掛け部から斜め上方に延出して形成され、上方ほど前後幅および横幅を狭く形成した背もたれ部を有するクッション本体と、
生地でなる袋の内部に樹脂製低反発チップを収容して構成され、前記腰掛け部の上面から前記背もたれ部の上面にわたってこれらの上面を覆うように重ねて取付けられる低反発チップ体と、
前記クッション本体を構成する生地よりも硬い生地により構成され、前記低反発チップ体を取付けた前記クッション本体を覆うカバーとを備えたことを特徴とする。
【０００７】
請求項２のクッションは、請求項１に記載のクッションにおいて、
前記クッション本体の前記腰掛け部の上面から前記背もたれ部の上面にわたって縫合あるいは接着により固着された収容袋をさらに備えると共に、
前記低反発チップ体を前記収容袋に収容したことを特徴とする。
【０００８】
請求項３のクッションは、請求項１または２に記載のクッションにおいて、
前記低反発チップ体は、低反発チップを充填した袋を縫合または接着した複数の固着部を有することを特徴とする。
【発明の効果】
【０００９】
請求項１の発明においては、発泡ビーズを袋に充填してなるクッション本体の腰掛け部から背もたれ部にわたって、低反発チップを袋に収容してなる低反発チップ体を重ねて取付けたので、この低反発チップ体が人体の腰や足の部分によるクッション本体への重みの局部的集中を緩和し、クッション本体における発泡ビーズの前後方向や側方への流れを緩和する。また、低反発チップ体がチップを内蔵することにより、人の重みを掛けた際にクッション本体との接触面に凹凸を生じ、この凹凸が発泡ビーズと噛み合い、発泡ビーズの流れを緩和する。このため、腰掛け部における過度の沈み込みが防止され、過度の沈み込みによるクッション性の低下や人体の姿勢の悪化が防止される。
【００１０】
また、背もたれ部は、上方ほど前後幅および横幅が狭くなるように構成したので、使用時に人体の重みによって発泡ビーズが後方の背もたれ部の上方へ移動することにより、この背もたれ部内における発泡ビーズ内の収容密度が上がって背もたれ部が硬化し、その結果、背もたれ部の形状が保持される。その上、クッション本体より硬質の生地でなるカバーで低反発チップ体を含めたクッション本体を覆ったことにより、背もたれ部の保形性が向上し、背もたれ部による人体の支持力が確保され、背もたれ部が人体の重みにより後方に倒れることが防止される。
【００１１】
このように、本発明のクッションは、人体の重みによって過度の沈み込みを生じることによるクッション性の低下や姿勢の悪化が軽減され、クッションの人体へのなじみを保ちながらクッション性を保持した状態が維持されると共に、背もたれ部の形も保持されるので、快適な使用感が得られ、座ったり略式ベッドとして寝たりするクッションとして良好なものを提供することができる。
【００１２】
また、クッション本体上に低反発チップ体を重ねて取付けてクッション本体の袋内における発泡ビーズへの過度の荷重集中を回避したので、使用期間の経過による発泡ビーズのへたりを防止し、長期にわたり快適な使用感を維持することができる。
【００１３】
また、本発明で用いる低反発チップ体は、袋内に低反発チップを充填したものであり、樹脂製の低反発シートを用いた場合に比較して、人体へのなじみがよく、同じく柔らかい感触を得るために低反発シートを用いた場合の約４分の１程度のコストですむ。また、低反発チップ体７は、低反発シートの数倍の厚みを持たせても、コストは同等かそれ以下ですむ。
【００１４】
請求項２の発明においては、クッション本体の腰掛け部の上面から背もたれ部の上面にわたって縫合あるいは接着により収容袋を設け、この収容袋内に低反発チップ体を収容したので、低反発チップのクッション本体上における多少の動きが許容され、低反発チップをクッション本体上に固着する場合に比較して、人体に対するなじみがよくなり、その上、低反発チップ体をクッション本体に固着した場合の固着部の損傷が起きにくくなり、延命化が図れる。また、低反発チップ体をクッション本体に取付けるための面ファスナーやホック等を使用しないので、これらを使用した場合の違和感がなく、滑らかな使用感が得られる。
【００１５】
請求項３の発明においては、低反発チップを充填した袋に縫合または接着でなる複数の固着部を備えて低反発チップ体を構成したので、低反発チップが袋内でずれることなく、長期にわたり形状を保つことができる。
【図面の簡単な説明】
【００１６】
【図１】本発明のクッションの一実施の形態を使用状態で示す側面図である。
【図２】本実施の形態のクッションの全体構成を示す斜視図である。
【図３】本実施の形態のクッション本体を低反発チップ体を取付けた状態で示す斜視図である。
【図４】本実施の形態のクッションの縦断面図である。
【図５】図４の部分拡大断面図である。
【図６】本実施の形態のクッションの低反発チップ体の平面図である。
【発明を実施するための形態】
【００１７】
図１は本発明によるクッションの一実施の形態を使用状態で示す側面図、図２はその全体構成を示す斜視図、図３はそのクッション本体を示す斜視図である。図１において、１は本実施の形態のクッション、２はこのクッション１上に横たわった人体である。
【００１８】
図２、図３において、３はクッション本体である。このクッション本体３は、図４、図５の断面図に示すように、柔軟な生地からなる袋４の中に樹脂製の発泡ビーズ５を隙間を有して充填してなるものである。このクッション本体３は、腰掛け部３ａ、およびこの腰掛け部３ａに袋４の内部が連通した背もたれ部３ｂを有する。背もたれ部３ｂは、腰掛け部３ａから斜め上方に延出して形成され、上方ほど横幅ａ（図３参照）および前後幅ｂ（図４参照）が狭くなるように構成する。
【００１９】
この発泡ビーズ５には例えばポリエチレンやポリスチレン等、適度の発泡度を有する合成樹脂材が用いられる。この発泡ビーズ５としては、程度の流動性等を得るためには他の材質のものを用いてもよい。また、適度の流動性をもたせると共に、へたりを防止する上ではビーズの平均直径は０．３ｍｍ〜３ｍｍ程度とすることが好ましい。
【００２０】
図３、図４において、６は生地であり、この生地６は腰掛け部３ａの上面から背もたれ部３ｂの上面にわたり、袋４の上面の生地４ａに外の周辺部を縫合あるいは接着により固着して取付ける。この生地６とクッション本体３の生地４ａとの間で後述の低反発チップ体７を収容する収容袋８を構成する。なお、本実施の形態においては、この生地６を２枚使用し、一枚は腰掛け部３ａ側に取付け、他の１枚は背もたれ部３ｂに取付けてその重なり部６ａを低反発チップ体７の出し入れ部としている。
【００２１】
図４に示すように、低反発チップ体７は、生地でなる袋９の内部に例えばウレタン樹脂等の樹脂製低反発チップ１０を収容して構成される。この低反発チップ１０は、低反発シートをちぎることにより得られたもので、縦横の寸法が０．５ｃｍ〜３ｃｍ程度のものを集めたものである。この低反発チップ体７は、図４、図６に示すように、縫合または接着により固着した複数の固着部７ａを有し、この固着部７ａにより低反発チップ１０の袋９の内部でのずれを防止する。この実施の形態においては、この固着部７ａを左右方向に形成している。
【００２２】
また、図６に示すように、この低反発チップ体７は、背もたれ部３ｂの形状に合わせて、背もたれ部３ｂ側の端部７ｂは先端ほど横幅ｃが狭くなる形状とする。この低反発チップ体７は、図３に示すように、前記腰掛け部３ａの上面から前記背もたれ部３ｂの上面にわたってこれらの上面を覆うように収容袋８内に収容して取付けられる。
【００２３】
図２、図４、図５において、１１はカバー、１２は底カバーである。カバー１１は下面開口構造を有し、クッション本体３とほぼ同形を有する。すなわちこの実施の形態のカバー１１は、低反発チップ体７を取付けたクッション本体３の前後面、左右の側面、上面を覆うものであり、クッション本体３に使用する生地よりも硬い材質からなる。
【００２４】
底カバー１２はカバー１１よりもさらに分厚く硬い材質の生地からなる。この底カバー１２はその周辺部に立上部１２ａを有し、この立上部１２ａに設けた面ファスナー１３を、クッション本体３の袋４の最下部の周囲に設けた面ファスナー１４に接続することにより、クッション本体３の下面を覆うように取付けられる。１５（図２参照）はカバー１１の背もたれ部の頂部に取付けられた取手であり、厚い生地を縫合して取付けられたもので、輪状に拡げられるものである。このクッション１はこの取手１５を手で把持して引きずることにより、床上を滑らせて移動させることができる。
【００２５】
図１において、実線で示す人体２は低反発チップ体７を設けた場合の人体の姿勢を示し、２点鎖線で示す人体２Ａはこの低反発チップ体７を設けない場合の姿勢を示す。図１に示す対比から分かるように、この実施の形態によれば、クッション本体３の腰掛け部３ａから背もたれ部３ｂにわたって、低反発チップ１０を袋９に収容してなる低反発チップ体７を重ねて取付けたので、この低反発チップ体７がクッション本体３への人体２の重みの局部的集中を緩和し、クッション本体３における発泡ビーズの前後方向や側方への流れを緩和する。また、低反発チップ体７が低反発チップ１０を内蔵することにより、人の重みを掛けた際にクッション本体３との接触面に凹凸を生じ、この凹凸が発泡ビーズ５と噛み合い、発泡ビーズ５の流れを緩和する。このため、腰掛け部３ａにおける過度の沈み込みが防止され、2点鎖線２Aで示すような過度の沈み込みによるクッション性の低下や人体の姿勢の悪化が防止される。
【００２６】
また、低反発チップ体７は袋９の内部に低反発チップ１０を収容したものであるため、柔軟であり、人体２に対するなじみを損なうことがない。
【００２７】
また、背もたれ部３ｂは、上方ほど横幅ａおよび前後幅ｂを狭く形成したので、人体２の重みによって発泡ビーズ５が後方の背もたれ部３ｂの上方へ移動することにより、この背もたれ部３ｂ内における発泡ビーズ５の袋４内における収容密度が向上して背もたれ部が硬化し、その結果、背もたれ部３ｂの形状が保持される。その上、クッション本体７より硬質の生地でなるカバー１１で低反発チップ体７を含めたクッション本体７を覆ったことにより、背もたれ部３ｂの保形性が向上し、背もたれ部３ｂによる人体の支持力が確保され、背もたれ部３ｂが人体の重みにより後方に倒れることが防止される。
【００２８】
このように、本実施の形態のクッション１は、人体２の重みによる過度の沈み込みによるクッション性の低下や姿勢の悪化が軽減され、低反発チップ体７の付加によりクッション１の人体へのなじみを保ちながらクッション性を保持した状態が維持されると共に、背もたれ部３ｂの形も保持されるので、快適な使用感が得られ、座ったり略式ベッドとして寝たりするクッションとして良好なものを提供することができる。
【００２９】
また、クッション本体３上に低反発チップ体７を重ねて取付けてクッション本体３の袋４内における発泡ビーズ５への過度の荷重集中を回避したので、使用期間の経過による発泡ビーズ５のへたりを防止し、長期にわたり快適な使用感を維持することができる。
【００３０】
また、低反発チップ体７は、袋９内に低反発チップ１０を充填したものであり、樹脂製の低反発シートを用いた場合に比較して、人体へのなじみがよく、同じく柔らかい感触を得るために低反発シートを用いた場合の約４分の１程度のコストですむ。また、低反発チップ体７は、低反発シートの数倍の厚みを持たせても、コストは同等かそれ以下ですむ。
【００３１】
また、本実施の形態においては、クッション本体７の腰掛け部３ａの上面から背もたれ部３ｂの上面にわたって縫合あるいは接着により収容袋８を設け、この収容袋８内に低反発チップ体７を収容したので、低反発チップ１０のクッション本体７上における多少の動きが許容され、低反発チップ１０をクッション本体７上に固着する場合に比較して、人体に対するなじみがよくなる。
【００３２】
また、本発明を実施する場合、低反発チップ体７を袋４に縫合や接着により固定して取付けてもよい。しかし上記実施の形態のように収容袋８に低反発チップ体７を収容すれば、縫合や接着により低反発チップ体７を固着した場合のように、固着部にかかる負担により固着部がはがれたり破けたりすることが無くなり、延命化が図れる。
【００３３】
また、本発明を実施する場合、低反発チップ体７を面ファスナーやホックを用いて袋４に取付けもよいが、この面ファスナーやホックを用いた場合には面ファスナーやホックの部分に人体２が当たると滑らかな感触が損なわれ、違和感を生じる。一方、本実施の形態のように、縫合等により袋４に設けた収容袋８内に低反発チップ体７を収容することにより、違和感の無い滑らかな感触が得られる。
【００３４】
また、上記実施の形態においては、低反発チップ１０を充填した袋９を縫合または接着した複数の固着部を備えて低反発チップ体を構成したので、低反発チップが袋内でずれることなく、長期にわたり形状を保つことができる。
【００３５】
なお本発明を実施する場合、本発明の要旨を逸脱しない範囲において、上記実施の形態と異なる種々の変更、付加が可能である。例えばカバー１１と底カバー１２を一体にしたカバーとし、そのカバーの背もたれ部３ｂの背面や下面に対応する部分に、クッション本体３を出し入れする開口部を設け、その開口部をチャック、面ファスナーあるいはホック等により開閉するようにしてもよい。
【符号の説明】
【００３６】
１：クッション、２：人体、３：クッション本体、３ａ：腰掛け部、３ｂ：背もたれ部、４：袋、５：発泡ビーズ、６：生地、７：低反発チップ体、８：収容袋、９：袋、１０：低反発チップ、１１：カバー、１２：底カバー、１３，１４：面ファスナー、１５：取手
【図１】
0005456511.tif 000002
【図２】
0005456511.tif 000003
【図３】
0005456511.tif 000004
【図４】
0005456511.tif 000005
【図５】
0005456511.tif 000006
【図６】
0005456511.tif 000007